【手続補正書】
【提出日】平成15年11月5日(2003.11.5)
【手続補正１】
【補正対象書類名】明細書
【補正対象項目名】発明の名称
【補正方法】変更
【補正の内容】
【発明の名称】情報処理装置および表示制御方法
【手続補正２】
【補正対象書類名】明細書
【補正対象項目名】特許請求の範囲
【補正方法】変更
【補正の内容】
【特許請求の範囲】
【請求項１】
実行するアプリケーションによる演算、処理の結果をカラー表示可能な表示手段に表示する表示制御を行うとともに、前記表示手段の同時発色数がそれぞれ異なる複数の表示モード間で表示モードの切換制御を行う表示制御手段を備える情報処理装置において、
前記表示制御手段は、前記表示手段に対する表示環境の変化の有無を判別し、該判別の結果に応じて前記表示モードの切換を動的に行うことを特徴とする情報処理装置。
【請求項２】
前記表示制御手段は、前記アプリケーションの切換時に切換前後のアプリケーションがそれぞれ設定する表示モードの変化の有無を判別し、前記切換前後のアプリケーションがそれぞれ設定する表示モードが異なるときに前記切換前のアプリケーションが設定する表示モードから前記切換後のアプリケーションが設定する表示モードへ動的に切り換えることを特徴とする請求項１記載の情報処理装置。
【請求項３】
前記表示制御手段は、前記アプリケーションの切換時にユーザに操作を促すためのメニュー表示が行われるときに該メニュー表示の表示モードへの切換を所定時間禁止することを特徴とする請求項２記載の情報処理装置。
【請求項４】
前記表示制御手段は、前記アプリケーションの切換時にユーザに操作を促すためのメニュー表示が行われるときに該メニュー表示の表示モードへ切換を禁止することを特徴とする請求項２記載の情報処理装置。
【請求項５】
前記表示制御手段は、前記アプリケーションの実行中に該アプリケーションが作業領域として使用する必要記憶容量の変化の有無を判別し、該判別の結果に応じて前記表示モードの切換を動的に行うことを特徴とする請求項１記載の情報処理装置。
【請求項６】
前記表示制御手段は、前記アプリケーションの実行中に該アプリケーションが作業領域として使用する必要記憶容量が増したときに、前記表示モードを同時発色数が少ない表示モードへ動的に切り換えることを特徴とする請求項５記載の情報処理装置。
【請求項７】
前記表示制御手段は、前記アプリケーションの切換時に切換前後のアプリケーションにそれぞれ要する処理量の大きさの違いを判別し、切換前のアプリケーションの処理量が切換後のアプリケーションの処理量より大きいときに、前記切換前のアプリケーションが設定する表示モードから前記切換後のアプリケーションが設定する表示モードよりさらに同時発色数が少ない表示モードへ動的に切り換え、前記切換前のアプリケーションの処理量が前記切換後のアプリケーションの処理量より小さいときに、前記切換前後のアプリケーションがそれぞれ設定する表示モードの変化の有無を判別し、前記切換前後のアプリケーションがそれぞれ設定する表示モードが異なるときに前記切換前のアプリケーションが設定する表示モードから前記切換後のアプリケーションが設定する表示モードへ動的に切り換えることを特徴とする請求項１記載の情報処理装置。
【請求項８】
情報処理装置が実行するアプリケーションによる演算、処理の結果をカラー表示可能な表示手段に表示する表示制御を行うとともに、前記表示手段の同時発色数がそれぞれ異なる複数の表示モード間で表示モードの切換制御を行う表示制御方法において、
前記表示手段に対する表示環境の変化の有無を判別し、該判別の結果に応じて前記表示モードの切換を動的に行うことを特徴とする表示制御方法。
【請求項９】
前記アプリケーションの切換時に切換前後のアプリケーションがそれぞれ設定する表示モードの変化の有無を判別し、前記切換前後のアプリケーションがそれぞれ設定する表示モードが異なるときに前記切換前のアプリケーションが設定する表示モードから前記切換後のアプリケーションが設定する表示モードへ動的に切り換えることを特徴とする請求項８記載の表示制御方法。
【請求項１０】
前記アプリケーションの切換時にユーザに操作を促すためのメニュー表示が行われるときに該メニュー表示の表示モードへの切換を所定時間禁止することを特徴とする請求項９記載の表示制御方法。
【請求項１１】
前記アプリケーションの切換時にユーザに操作を促すためのメニュー表示が行われるときに該メニュー表示の表示モードへ切換を禁止することを特徴とする請求項９記載の表示制御方法。
【手続補正３】
【補正対象書類名】明細書
【補正対象項目名】０００１
【補正方法】変更
【補正の内容】
【０００１】
【発明の属する技術分野】
本発明は、実行するアプリケーションによる演算、処理の結果をカラー表示可能な表示手段に表示する表示制御を行うとともに、前記表示手段の同時発色数がそれぞれ異なる複数の表示モード間で表示モードの切換制御を行う表示制御手段を備える情報処理装置および表示制御方法に関する。


【手続補正４】
【補正対象書類名】明細書
【補正対象項目名】０００８
【補正方法】変更
【補正の内容】
【０００８】
本発明の目的は、表示手段に対する表示環境の変化を考慮した表示制御を行うことができる情報処理装置および表示制御方法を提供することにある。


【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
請求項８記載の発明は、情報処理装置が実行するアプリケーションによる演算、処理の結果をカラー表示可能な表示手段に表示する表示制御を行うとともに、前記表示手段の同時発色数がそれぞれ異なる複数の表示モード間で表示モードの切換制御を行う表示制御方法において、前記表示手段に対する表示環境の変化の有無を判別し、該判別の結果に応じて前記表示モードの切換を動的に行うことを特徴とする。


【手続補正１３】
【補正対象書類名】明細書
【補正対象項目名】００２４
【補正方法】変更
【補正の内容】
【００２４】
請求項９記載の発明は、請求項８記載の表示制御方法において、前記アプリケーションの切換時に切換前後のアプリケーションがそれぞれ設定する表示モードの変化の有無を判別し、前記切換前後のアプリケーションがそれぞれ設定する表示モードが異なるときに前記切換前のアプリケーションが設定する表示モードから前記切換後のアプリケーションが設定する表示モードへ動的に切り換えることを特徴とする。


【手続補正１４】
【補正対象書類名】明細書
【補正対象項目名】００２５
【補正方法】変更
【補正の内容】
【００２５】
請求項１０記載の発明は、請求項９記載の表示制御方法において、前記アプリケーションの切換時にユーザに操作を促すためのメニュー表示が行われるときに該メニュー表示の表示モードへの切換を所定時間禁止することを特徴とする。


【手続補正１５】
【補正対象書類名】明細書
【補正対象項目名】００２６
【補正方法】変更
【補正の内容】
【００２６】
請求項１１記載の発明は、請求項９記載の表示制御方法において、前記アプリケーションの切換時にユーザに操作を促すためのメニュー表示が行われるときに該メニュー表示の表示モードへの切換を禁止することを特徴とする。


【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３６
【補正方法】変更
【補正の内容】
【００３６】
次に、上述の表示制御プログラム（ウィンドウマネージャ）による処理手順について図２ないし図４を参照しながら説明する。図２は図１の情報処理装置における表示制御プログラム（ウィンドウマネージャ）による処理手順を示すフローチャート、図３は図２のステップＳ２３における処理の詳細を示すフローチャート、図４は図３のステップＳ３３における処理の詳細を示すフローチャートである。


【手続補正２１】
【補正対象書類名】明細書
【補正対象項目名】００７４
【補正方法】削除
【補正の内容】
【手続補正２２】
【補正対象書類名】明細書
【補正対象項目名】００７５
【補正方法】削除
【補正の内容】
【手続補正２３】
【補正対象書類名】明細書
【補正対象項目名】００７６
【補正方法】削除
【補正の内容】
【手続補正２４】
【補正対象書類名】明細書
【補正対象項目名】００７７
【補正方法】削除
【補正の内容】
【手続補正２５】
【補正対象書類名】明細書
【補正対象項目名】００７８
【補正方法】削除
【補正の内容】
【手続補正２６】
【補正対象書類名】明細書
【補正対象項目名】００７９
【補正方法】削除
【補正の内容】
【手続補正２７】
【補正対象書類名】明細書
【補正対象項目名】００８０
【補正方法】削除
【補正の内容】
【手続補正２８】
【補正対象書類名】明細書
【補正対象項目名】００８１
【補正方法】変更
【補正の内容】
【００８１】
請求項８記載の表示制御方法によれば、表示手段に対する表示環境の変化の有無を判別し、該判別の結果に応じて表示モードの切換を動的に行うから、アプリケーションによる表示手段に対する表示環境の変化を考慮した表示制御を行うことができる。


【手続補正２９】
【補正対象書類名】明細書
【補正対象項目名】００８２
【補正方法】変更
【補正の内容】
【００８２】
請求項９記載の表示制御方法によれば、アプリケーションの切換時に切換前後のアプリケーションがそれぞれ設定する表示モードの変化の有無を判別し、切換前後のアプリケーションがそれぞれ設定する表示モードが異なるときに切換前のアプリケーションが設定する表示モードから切換後のアプリケーションが設定する表示モードへ動的に切り換えるから、アプリケーションによる表示手段に対する表示環境の変化を考慮した表示制御を行うことができる。


【手続補正３０】
【補正対象書類名】明細書
【補正対象項目名】００８３
【補正方法】変更
【補正の内容】
【００８３】
請求項１０記載の表示制御方法によれば、アプリケーションの切換時にユーザに操作を促すためのメニュー表示が行われるときに該メニュー表示の表示モードへの切換を所定時間禁止するから、メニュー表示に伴う表示モードの切換回数を減らすことができるとともに、ユーザに再表示によるストレスを感じさせない操作環境を与えることができる。


【手続補正３１】
【補正対象書類名】明細書
【補正対象項目名】００８４
【補正方法】変更
【補正の内容】
【００８４】
請求項１１記載の表示制御方法によれば、アプリケーションの切換時にユーザに操作を促すためのメニュー表示が行われるときに該メニュー表示の表示モードへの切換を禁止するから、メニュー表示に伴う表示モードの切換回数をさらに減らすことができるとともに、よりストレスを感じさせない優れた操作環境をユーザに与えることができる。


【手続補正３２】
【補正対象書類名】明細書
【補正対象項目名】００８５
【補正方法】削除
【補正の内容】
【手続補正３３】
【補正対象書類名】明細書
【補正対象項目名】００８６
【補正方法】削除
【補正の内容】
【手続補正３４】
【補正対象書類名】明細書
【補正対象項目名】００８７
【補正方法】削除
【補正の内容】
【手続補正３５】
【補正対象書類名】明細書
【補正対象項目名】００８８
【補正方法】削除
【補正の内容】
【手続補正３６】
【補正対象書類名】明細書
【補正対象項目名】図３
【補正方法】変更
【補正の内容】
【図３】図２のステップＳ２３における処理の詳細を示すフローチャートである。